(57)【要約】      （修正有）【課題】壁を傷つけずに遊具を取り付けることができ、かつ、遊具の取り外しが容易な猫用遊戯装置を提供する。【解決手段】本考案に係る猫用遊戯装置１００は、床から天井に向かって配置される第一支柱１と、床から天井に向かって、かつ、第一支柱１と略平行に配置される第二支柱２と、第一支柱１及び第二支柱２に略直角に固定され、第一支柱１及び第二支柱２の長手方向に所定の間隔で配列した複数の横板３と、略コの字形状の固定具４１を備えた遊具（４ａ、４ｂ、４ｃ）と、を有し、固定具４１を横板３に引っ掛けることで、横板３に遊具を固定するよう構成され、第一支柱１及び第二支柱２の横板３が固定された固定面の奥行き方向長さである幅は、横板３の奥行き方向長さである厚みよりも大きいことを特徴とする。【選択図】図１
0003220647.tif 000002
【実用新案登録請求の範囲】
【請求項１】
床から天井に向かって配置される第一支柱と、
前記床から前記天井に向かって、かつ、前記第一支柱と略平行に配置される第二支柱と、
前記第一支柱及び前記第二支柱に略直角に固定され、前記第一支柱及び前記第二支柱の長手方向に所定の間隔で配列した複数の横板と、
略コの字形状の固定具を備えた遊具と、を有し、
前記固定具を前記横板に引っ掛けることで、前記横板に前記遊具を固定するよう構成され、
前記第一支柱及び前記第二支柱の前記横板が固定された固定面の幅は、前記横板の厚みよりも大きいことを特徴とする猫用遊戯装置。
【請求項２】
前記第一支柱及び前記第二支柱への前記横板の固定位置は、前記固定面の短手方向の略中心である請求項１に記載の猫用遊戯装置。
【請求項３】
前記第一支柱及び前記第二支柱の前記床側及び前記天井側の先端には、前記第一支柱及び前記第二支柱の位置ずれを防止するストッパーが設けられている請求項１または２に記載の猫用遊戯装置。
【請求項４】
前記床側の前記ストッパー及び前記天井側の前記ストッパーの少なくとも一方は、前記その高さを調整する調整手段を有する請求項３に記載の猫用遊戯装置。
【考案の詳細な説明】
【技術分野】
【０００１】
本考案は、猫用遊戯装置に関する。
【背景技術】
【０００２】
近年、猫を室内で飼うことが多くなり、猫の運動不足が懸念されている。
このような猫の運動不足を解消するために種々の遊戯装置が開発されている（例えば、特許文献１及び２）。
【０００３】
特許文献１の猫用遊具は、ステップ等の複数の遊具を直接壁に取り付ける構成となっている。
また、特許文献２の猫用遊戯装置では、複数のパイプで構成された支柱群に横架部を設けて、少なくとも２つの横架部に猫乗り部材を固定する構成となっている。
【先行技術文献】
【特許文献】
【０００４】
【特許文献１】特開２０１０−１１７６１号公報
【特許文献２】特開２０１６−１０２２３２号公報
【考案の概要】
【考案が解決しようとする課題】
【０００５】
しかしながら、特許文献１の猫用遊具は、壁に直接取り付ける構成であるため、壁を傷つけてしまい、また、一度取り付けると取り外すのが困難である。
これに対して、特許文献２の猫用遊戯装置では、直接壁に取り付ける構成ではないため、壁を傷つけることはないが、猫乗り部材の位置を変更する際に、横架部の位置を変更しなければならず、猫乗り部材等の遊具の位置を容易に変更できるものではない。
【０００６】
そこで、本考案は、壁を傷つけずに遊具を取り付けることができ、かつ、遊具の取り外しが容易な猫用遊戯装置を提供することを目的とする。
【課題を解決するための手段】
【０００７】
本考案に係る猫用遊戯装置は、床から天井に向かって配置される第一支柱と、
前記床から前記天井に向かって、かつ、前記第一支柱と略平行に配置される第二支柱と、
前記第一支柱及び前記第二支柱に略直角に固定され、前記第一支柱及び前記第二支柱の長手方向に所定の間隔で配列した複数の横板と、
略コの字形状の固定具を備えた遊具と、を有し、
前記固定具を前記横板に引っ掛けることで、前記横板に前記遊具を固定するよう構成され、
前記第一支柱及び前記第二支柱の前記横板が固定された固定面の幅は、前記横板の厚みよりも大きいことを特徴とする。
【考案の効果】
【０００８】
本考案によれば、壁を傷つけずに遊具を取り付けることができ、かつ、遊具の取り外しが容易な猫用遊戯装置を提供することができる。
【図面の簡単な説明】
【０００９】
【図１】本考案の一実施形態に係る猫用遊戯装置の構成を示す斜視図である。
【図２】本考案の一実施形態に係る猫用遊戯装置の遊具の取り付け状態を示す部分断面図である。
【考案を実施するための形態】
【００１０】
以下、本考案に係る猫用遊戯装置の好適な実施形態について説明する。
図１は、本考案の一実施形態に係る猫用遊戯装置の構成を示す斜視図、図２は、本考案の一実施形態に係る猫用遊戯装置の遊具の取り付け状態を示す部分断面図である。なお、明細書中、図１中の上方向を「上」又は「上側」、下方向を「下」又は「下側」、紙面表側を「表」又は「表側」、紙面裏側を「裏」又は「裏側」という。また、明細書中において、四角柱（平板を含む）の最も面積が広い面を「主面」という。
【００１１】
本実施形態に係る猫用遊戯装置１００は、図１に示すように、第一支柱１と、第二支柱２と、複数の横板３と、遊具（４ａ、４ｂ、４ｃ）とを有している。
第一支柱１及び第二支柱２は、四角柱形状を有している。
また、第一支柱１及び第二支柱２は、床から天井に向かって配置されている。
第一支柱１及び第二支柱２は、図１に示すように、主面が互いに対向するように設置されている。なお、第一支柱１及び第二支柱２の向かい合う主面が、後述する横板３の固定面となる。
第一支柱１及び第二支柱２の主面（固定面）の幅（図１中Ａで表される幅）は、５０ｍｍ以上１２０ｍｍ以下であるのが好ましく、７０ｍｍ以上１００ｍｍ以下であるのがより好ましい。
なお、第一支柱１及び第二支柱２の固定面の幅は、後述する横板３の厚みよりも大きいのが好ましい。これにより、後述する遊具の固定具を引っ掛ける空間を確保しやすくなり、遊具の取り付けが容易となる。また、猫用遊戯装置１００を壁際に設置した際の遊具の取り付け辛さを解消するとともに、遊具を取り付ける際に壁が傷つくのを防止することができる。
また、第一支柱１及び第二支柱２の厚み（図１中Ｂで表される厚み）は、１０ｍｍ以上６０ｍｍ以下であるのが好ましく、１５ｍｍ以上５０ｍｍ以下であるのがより好ましい。
【００１２】
第一支柱１及び第二支柱２の天井と接する部分には、図１に示すように、第一支柱１及び第二支柱２の位置ずれを防止するストッパー５が設けられている。
また、ストッパー５は、弾性体で構成されており、第一支柱１及び第二支柱２の天井と接する部分を被覆するように設けられている。
ストッパー５には、高さ調整手段が設けられており、これにより、種々の高さの天井にも対応可能となる。また、ストッパー５を天井に接触させることができ、第一支柱１及び第二支柱２の位置ずれを確実に防止することができる。
また、第一支柱１及び第二支柱２の床と接する部分には、図１に示すように、第一支柱１及び第二支柱２の位置ずれを防止するストッパー６が設けられている。
また、ストッパー６は、弾性体で構成されており、第一支柱１及び第二支柱２の床と接する部分を被覆するように設けられている。
【００１３】
複数の横板３は、図１に示すように、第一支柱１の一方の主面（固定面）から第二支柱２の一方の主面（固定面）にわたって設けられ、第一支柱１及び第二支柱２に略直角に固定されている。
また、横板３は、その主面が後述する遊具の取り付け側（表面側）を向くように配置されている。
また、複数の横板３は、第一支柱１及び第二支柱２の長手方向に沿って、所定の間隔で配列している。
隣り合う横板３の間隔（図１中Ｃで表される間隔）は、特に限定されないが、２０ｍｍ以上１００ｍｍ以下であるのが好ましく、３０ｍｍ以上７０ｍｍ以下であるのがより好ましい。
【００１４】
横板３の主面の幅（図１中Ｄで表される幅）は、５０ｍｍ以上２００ｍｍ以下であるのが好ましく。８０ｍｍ以上１５０ｍｍ以下であるのがより好ましい。
また、横板３の厚み（図１中Ｅで表される厚み）は、１０ｍｍ以上５０ｍｍ以下であるのが好ましく、１５ｍｍ以上４０ｍｍ以下であるのがより好ましい。
また、第一支柱１及び第二支柱２への横板３の固定位置は、固定面の幅方向（短手方向）の略中心であるのが好ましい。これにより、遊具の固定具を引っ掛ける空間を確保でき、遊具の取り付けがさらに容易となる。
【００１５】
本実施形態の猫用遊戯装置１００は、取り外し可能な遊具として、遊具４ａ、遊具４ｂ及び遊具４ｃを有している。
遊具４ａは、猫が乗る場所（ステップ）として機能し、その断面の形状がＬ字形状を有している。
また、遊具４ｂは、箱型をなしており、その内部を猫が通り抜けできる構造となっている。
また、遊具４ｃは、遊具４ａの猫が乗る面に、猫が下方へ通り抜けできる通り穴が設けられた構造となっている。
【００１６】
各遊具（４ａ、４ｂ及び４ｃ）には、図１及び図２に示すように、横板３に遊具を固定するための２つの固定具４１が設けられている。
固定具４１は、略コの字形状を有している。なお、略コの字形状とは、底面と両端の向かい合う側面で構成される形状をいい、Ｕ型、Ｊ型その他の類似形状を含む。
より具体的には、固定具４１は、横板３の取り付け位置（横板３の幅方向の端部）に対応する形状となっている。
固定具４１は、図２に示すように各遊具の横板３と接する面の上側に設けられている。
この固定具４１を図２に示すように横板３に引っ掛けることで、横板３に遊具を固定することができる。
また、本実施形態の猫用遊戯装置１００には、遊具間を繋ぐ吊り橋７が設けられているが、吊り橋７はなくてもよい。
また、各遊具の側面には、吊り橋７等のような横板３に固定しない遊具間接続部材を取り付けるための取付け具が設けられていてもよい。
猫用遊戯装置１００を構成する上記部材（ストッパー（５、６）及び固定具４１を除く）を構成する材料としては、特に限定されず、木材、プラスチックなどを挙げることができる。
【００１７】
以上、本考案の猫用遊戯装置の好適な実施形態について説明したが、本考案はこれに限定されない。
前述した実施形態では、各支柱が四角柱形状を有するものとして説明したが、これに限定されない。
前述した実施形態では、各支柱の上下にストッパーが設けられている構成について説明したが、ストッパーはなくてもよい。
また、前述した実施形態では、天井側にストッパーに高さ調整手段が設けられている構成について説明したが、床側のストッパーに高さ調整手段が設けられていてもよいし、高さ調整手段はなくてもよい。
また、前述した実施形態では、取り外し可能な遊具として、遊具４ａ、遊具４ｂ及び遊具４ｃを有するものとして説明したが、これに限定されず、これら遊具のうち少なくとも一つを有している構成であってもよいし、他の形状の遊具を有していてもよい。
また、前述した実施形態では、各遊具が固定具４１を２つ有するものとして説明したが、各遊具の有する固定具４１は１つであってもよし、３つ以上であってもよい。
【符号の説明】
【００１８】
１                第一支柱
２                第二支柱
３                横板
４ａ、４ｂ、４ｃ  遊具
４１              固定具
５、６            ストッパー
７                吊り橋
１００            猫用遊戯装置
【図１】
0003220647.tif 000003
【図２】
0003220647.tif 000004
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
床から天井に向かって配置される第一支柱と、
前記床から前記天井に向かって、かつ、前記第一支柱と略平行に配置される第二支柱と、
前記第一支柱及び前記第二支柱に略直角に固定され、前記第一支柱及び前記第二支柱の長手方向に所定の間隔で配列した複数の横板と、
略コの字形状の固定具を備えた遊具と、を有し、
前記固定具を前記横板に引っ掛けることで、前記横板に前記遊具を固定するよう構成され、
前記第一支柱及び前記第二支柱の前記横板が固定された固定面の幅Ａは、前記横板の厚みＥよりも大きいことを特徴とする猫用遊戯装置。
【請求項２】
前記第一支柱及び前記第二支柱への前記横板の固定位置は、前記固定面の短手方向の略中心である請求項１に記載の猫用遊戯装置。
【請求項３】
前記第一支柱及び前記第二支柱の前記床側及び前記天井側の先端には、前記第一支柱及び前記第二支柱の位置ずれを防止するストッパーが設けられている請求項１または２に記載の猫用遊戯装置。
【請求項４】
前記床側の前記ストッパー及び前記天井側の前記ストッパーの少なくとも一方は、高さ調整手段を有する請求項３に記載の猫用遊戯装置。
【手続補正２】
【補正対象書類名】明細書
【補正対象項目名】０００７
【補正方法】変更
【補正の内容】
【０００７】
本考案に係る猫用遊戯装置は、床から天井に向かって配置される第一支柱と、
前記床から前記天井に向かって、かつ、前記第一支柱と略平行に配置される第二支柱と、
前記第一支柱及び前記第二支柱に略直角に固定され、前記第一支柱及び前記第二支柱の長手方向に所定の間隔で配列した複数の横板と、
略コの字形状の固定具を備えた遊具と、を有し、
前記固定具を前記横板に引っ掛けることで、前記横板に前記遊具を固定するよう構成され、
前記第一支柱及び前記第二支柱の前記横板が固定された固定面の幅Ａは、前記横板の厚みＥよりも大きいことを特徴とする。
【手続補正書】
【提出日】平成31年1月25日(2019.1.25)
【手続補正１】
【補正対象書類名】実用新案登録請求の範囲
【補正対象項目名】全文
【補正方法】変更
【補正の内容】
【実用新案登録請求の範囲】
【請求項１】
床から天井に向かって配置される第一支柱と、
前記床から前記天井に向かって、かつ、前記第一支柱と略平行に配置される第二支柱と、
前記第一支柱及び前記第二支柱に略直角に固定され、前記第一支柱及び前記第二支柱の長手方向に所定の間隔で配列した複数の横板と、
略コの字形状の固定具を備えた遊具と、を有し、
前記固定具を前記横板に引っ掛けることで、前記横板に前記遊具を固定するよう構成され、
前記第一支柱及び前記第二支柱の前記横板が固定された固定面の奥行き方向長さである幅は、前記横板の奥行き方向長さである厚みよりも大きいことを特徴とする猫用遊戯装置。
【請求項２】
前記第一支柱及び前記第二支柱への前記横板の固定位置は、前記固定面の短手方向の略中心である請求項１に記載の猫用遊戯装置。
【請求項３】
前記第一支柱及び前記第二支柱の前記床側及び前記天井側の先端には、前記第一支柱及び前記第二支柱の位置ずれを防止するストッパーが設けられている請求項１または２に記載の猫用遊戯装置。
【請求項４】
前記床側の前記ストッパー及び前記天井側の前記ストッパーの少なくとも一方は、高さ調整手段を有する請求項３に記載の猫用遊戯装置。
【手続補正２】
【補正対象書類名】明細書
【補正対象項目名】０００７
【補正方法】変更
【補正の内容】
【０００７】
本考案に係る猫用遊戯装置は、床から天井に向かって配置される第一支柱と、
前記床から前記天井に向かって、かつ、前記第一支柱と略平行に配置される第二支柱と、
前記第一支柱及び前記第二支柱に略直角に固定され、前記第一支柱及び前記第二支柱の長手方向に所定の間隔で配列した複数の横板と、
略コの字形状の固定具を備えた遊具と、を有し、
前記固定具を前記横板に引っ掛けることで、前記横板に前記遊具を固定するよう構成され、
前記第一支柱及び前記第二支柱の前記横板が固定された固定面の奥行き方向長さである幅は、前記横板の奥行き方向長さである厚みよりも大きいことを特徴とする。